(57)【要約】【課題】カードを発行する組織内部の者によって、発行依頼データが悪用されて、不正に、カードが発行、或いは複製されることを防止できる。【解決手段】個々のカード利用者毎に、カード利用者を特定する情報と、前回発行結果と、前回発行時刻との組を記憶する手段と、  発行依頼データから抽出したカード利用者を特定する情報と同一の情報を記憶していて、該情報と組の前回発行結果が成功であり、かつ、現在の時刻が、該情報と組の前回カード発行時刻から、所定時間未満又は以内である場合、複数の異なるユーザの認証に成功した場合のみ、カードを発行する手段とを備えるカード発行システム。【選択図】図５
2017224230.tif 000002
【特許請求の範囲】
【請求項１】
カード利用者を特定する情報を含む発行依頼データを基にカードを発行するシステムであって、
個々のカード利用者毎に、カード利用者を特定する情報と、前回発行結果と、前回発行時刻との組を記憶する手段と、
発行依頼データから、カード利用者を特定する情報を抽出し、抽出した情報と同一の情報を記憶しているかを確かめる手段と、
抽出した情報と同一の情報を記憶している場合、該情報と組の前回発行結果が成功か或いは失敗かを確かめる手段と、
抽出した情報と同一の情報を記憶していて、該情報と組の前回発行結果が成功である場合、該情報と組の前回発行時刻から、現在の時刻が、所定時間未満又は以内であるか否かを確かめる手段と、
抽出した情報と同一の情報を記憶していないか、又は、抽出した情報と同一の情報を記憶していて、該情報と組の前回発行結果が失敗であるか、又は、抽出した情報と同一の情報を記憶していて、該情報と組の前回発行結果が成功であり、かつ、現在の時刻が、該情報と組の前回発行時刻から、所定時間以上又はよりも経っている場合、カードを発行する手段と、
抽出した情報と同一の情報を記憶していて、該情報と組の前回発行結果が成功であり、かつ、現在の時刻が、該情報と組の前回発行時刻から、所定時間未満又は以内である場合、複数の異なるユーザの認証に成功した場合のみ、カードを発行する手段とを備えることを特徴とするカード発行システム。
【請求項２】
カード利用者を特定する情報を含む発行依頼データを基にカードを発行するシステムが行う方法であって、
個々のカード利用者毎に、カード利用者を特定する情報と、前回発行結果と、前回発行時刻との組を記憶する工程と、
発行依頼データから、カード利用者を特定する情報を抽出し、抽出した情報と同一の情報を記憶しているかを確かめる工程と、
抽出した情報と同一の情報を記憶している場合、該情報と組の前回発行結果が成功か或いは失敗かを確かめる工程と、
抽出した情報と同一の情報を記憶していて、該情報と組の前回発行結果が成功である場合、該情報と組の前回発行時刻から、現在の時刻が、所定時間未満又は以内であるか否かを確かめる工程と、
抽出した情報と同一の情報を記憶していないか、又は、抽出した情報と同一の情報を記憶していて、該情報と組の前回発行結果が失敗であるか、又は、抽出した情報と同一の情報を記憶していて、該情報と組の前回発行結果が成功であり、かつ、現在の時刻が、該情報と組の前回発行時刻から、所定時間以上又はよりも経っている場合、カードを発行する工程と、
抽出した情報と同一の情報を記憶していて、該情報と組の前回発行結果が成功であり、かつ、現在の時刻が、該情報と組の前回発行時刻から、所定時間未満又は以内である場合、複数の異なるユーザの認証に成功した場合のみ、カードを発行する工程とを含むことを特徴とするカード発行方法。
【請求項３】
カード利用者を特定する情報を含む発行依頼データを基にカードを発行するシステムにおいて、
個々のカード利用者毎に、カード利用者を特定する情報と、前回発行結果と、前回発行時刻との組を記憶する工程と、
発行依頼データから、カード利用者を特定する情報を抽出し、抽出した情報と同一の情報を記憶しているかを確かめる工程と、
抽出した情報と同一の情報を記憶している場合、該情報と組の前回発行結果が成功か或いは失敗かを確かめる工程と、
抽出した情報と同一の情報を記憶していて、該情報と組の前回発行結果が成功である場合、該情報と組の前回発行時刻から、現在の時刻が、所定時間未満又は以内であるか否かを確かめる工程と、
抽出した情報と同一の情報を記憶していないか、又は、抽出した情報と同一の情報を記憶していて、該情報と組の前回発行結果が失敗であるか、又は、抽出した情報と同一の情報を記憶していて、該情報と組の前回発行結果が成功であり、かつ、現在の時刻が、該情報と組の前回発行時刻から、所定時間以上又はよりも経っている場合、カードを発行する工程と、
抽出した情報と同一の情報を記憶していて、該情報と組の前回発行結果が成功であり、かつ、現在の時刻が、該情報と組の前回発行時刻から、所定時間未満又は以内である場合、複数の異なるユーザの認証に成功した場合のみ、カードを発行する工程とを実行させることを特徴とするカード発行プログラム。
【発明の詳細な説明】
【技術分野】
【０００１】
本発明は、カード発行システム、方法、及びプログラムに関する。
【背景技術】
【０００２】
従来から、店頭にて、キャッシュカード、クレジットカード、ＩＤカード等の個人を特定する情報が記録されているカードを発行するシステムが知られている（例えば特許文献１参照）。
【０００３】
従来のシステムでは、店頭で、カード利用者を特定する情報（例えば、氏名、口座番号などの個人情報）を含みカード発行を依頼するデータ（以後、発行依頼データと云う）を作成し、この発行依頼データを基にカード発行に必要なカード発行データを生成しており、発行依頼データは全て正しいものとして、カード発行データを生成し、店頭でのカード発行に制限を設けていなかった。
【０００４】
このように、店頭で作成された発行依頼データを全て正しいものとして、制限無くカード発行ができるために、例えば、カードを発行する組織内部の者が、発行依頼データを基に、何度でも、カード発行データを生成して、カードを発行し、カード利用者に成り済まして悪用することが不可能ではなかった。
【０００５】
昨今のコンプライアンス意識の向上により、内部不正防止が求められていることから、カードを発行する組織内部の者が、発行依頼データを悪用して、不正に、カードを発行、或いは複製することを防止する必要がある。
【先行技術文献】
【特許文献】
【０００６】
【特許文献１】特開２０１３−２５５７１号公報
【発明の概要】
【発明が解決しようとする課題】
【０００７】
本発明は、このような事情を考慮してなされたもので、カードを発行する組織内部の者によって、発行依頼データが悪用されて、不正に、カードが発行、或いは複製されることを防止できることを課題とする。
【課題を解決するための手段】
【０００８】
本発明において上記課題を解決するために、まず請求項１の発明では、
カード利用者を特定する情報を含む発行依頼データを基にカードを発行するシステムであって、
個々のカード利用者毎に、カード利用者を特定する情報と、前回発行結果と、前回発行時刻との組を記憶する手段と、
発行依頼データから、カード利用者を特定する情報を抽出し、抽出した情報と同一の情報を記憶しているかを確かめる手段と、
抽出した情報と同一の情報を記憶している場合、該情報と組の前回発行結果が成功か或いは失敗かを確かめる手段と、
抽出した情報と同一の情報を記憶していて、該情報と組の前回発行結果が成功である場合、該情報と組の前回発行時刻から、現在の時刻が、所定時間未満又は以内であるか否かを確かめる手段と、
抽出した情報と同一の情報を記憶していないか、又は、抽出した情報と同一の情報を記憶していて、該情報と組の前回発行結果が失敗であるか、又は、抽出した情報と同一の情報を記憶していて、該情報と組の前回発行結果が成功であり、かつ、現在の時刻が、該情報と組の前回発行時刻から、所定時間以上又はよりも経っている場合、カードを発行する手段と、
抽出した情報と同一の情報を記憶していて、該情報と組の前回発行結果が成功であり、かつ、現在の時刻が、該情報と組の前回発行時刻から、所定時間未満又は以内である場合、複数の異なるユーザの認証に成功した場合のみ、カードを発行する手段とを備えることを特徴とするカード発行システムとしたものである。
【０００９】
また、請求項２の発明では、カード利用者を特定する情報を含む発行依頼データを基にカードを発行するシステムが行う方法であって、
個々のカード利用者毎に、カード利用者を特定する情報と、前回発行結果と、前回発行時刻との組を記憶する工程と、
発行依頼データから、カード利用者を特定する情報を抽出し、抽出した情報と同一の情報を記憶しているかを確かめる工程と、
抽出した情報と同一の情報を記憶している場合、該情報と組の前回発行結果が成功か或いは失敗かを確かめる工程と、
抽出した情報と同一の情報を記憶していて、該情報と組の前回発行結果が成功である場合、該情報と組の前回発行時刻から、現在の時刻が、所定時間未満又は以内であるか否かを確かめる工程と、
抽出した情報と同一の情報を記憶していないか、又は、抽出した情報と同一の情報を記憶していて、該情報と組の前回発行結果が失敗であるか、又は、抽出した情報と同一の情報を記憶していて、該情報と組の前回発行結果が成功であり、かつ、現在の時刻が、該情報と組の前回発行時刻から、所定時間以上又はよりも経っている場合、カードを発行する工程と、
抽出した情報と同一の情報を記憶していて、該情報と組の前回発行結果が成功であり、かつ、現在の時刻が、該情報と組の前回発行時刻から、所定時間未満又は以内である場合、複数の異なるユーザの認証に成功した場合のみ、カードを発行する工程とを含むことを特徴とするカード発行方法としたものである。
【００１０】
また、請求項３の発明では、
カード利用者を特定する情報を含む発行依頼データを基にカードを発行するシステムにおいて、
個々のカード利用者毎に、カード利用者を特定する情報と、前回発行結果と、前回発行時刻との組を記憶する工程と、
発行依頼データから、カード利用者を特定する情報を抽出し、抽出した情報と同一の情報を記憶しているかを確かめる工程と、
抽出した情報と同一の情報を記憶している場合、該情報と組の前回発行結果が成功か或いは失敗かを確かめる工程と、
抽出した情報と同一の情報を記憶していて、該情報と組の前回発行結果が成功である場合、該情報と組の前回発行時刻から、現在の時刻が、所定時間未満又は以内であるか否かを確かめる工程と、
抽出した情報と同一の情報を記憶していないか、又は、抽出した情報と同一の情報を記憶していて、該情報と組の前回発行結果が失敗であるか、又は、抽出した情報と同一の情報を記憶していて、該情報と組の前回発行結果が成功であり、かつ、現在の時刻が、該情報と組の前回発行時刻から、所定時間以上又はよりも経っている場合、カードを発行する工程と、
抽出した情報と同一の情報を記憶していて、該情報と組の前回発行結果が成功であり、かつ、現在の時刻が、該情報と組の前回発行時刻から、所定時間未満又は以内である場合
、複数の異なるユーザの認証に成功した場合のみ、カードを発行する工程とを実行させることを特徴とするカード発行プログラムとしたものである。
【発明の効果】
【００１１】
発行依頼データから抽出したカード利用者を特定する情報と同一の情報を記憶していない場合は、今回初めて、このカード利用者からカードの発行が申し込まれたことを意味するので、この発行依頼データは、正当に、カード発行に用いられている可能性が高い。
【００１２】
また、発行依頼データから抽出したカード利用者を特定する情報と同一の情報を記憶し、該情報と組の前回発行結果が失敗である場合は、この発行依頼データは、正当に、カード発行に成功するために再度用いられている可能性が高い。
【００１３】
また、発行依頼データから抽出したカード利用者を特定する情報と同一の情報を記憶し、該情報と組の前回発行結果が成功であり、かつ、現在の時刻が、該情報と組の前回発行時刻から、所定時間以上又はよりも経っている場合、この発行依頼データは、例えば、カードの有効期限切れ間近でカード更新のため、或いは、カードの紛失や破損による再発行のため等、正当に、カード発行に用いられている可能性が高い。
【００１４】
本発明は、以上の３つの場合、カードを発行する組織内部の者によって、発行依頼データが悪用されて、不正に、カードが発行、或いは複製されようとしている可能性が低いと判断して、カードを発行する。
【００１５】
しかしながら、以上の３つの場合とは異なり、発行依頼データから抽出したカード利用者を特定する情報と同一の情報を記憶し、該情報と組の前回発行結果が成功であり、かつ、現在の時刻が、該情報と組の前回発行時刻から、所定時間未満又は以内である場合、複数のユーザの認証に成功した場合のみ、カードを発行する組織内部の者によって、発行依頼データが悪用されて、不正に、カードが発行、或いは複製されようとしている可能性が低いことを確認できたとして、カードを発行する。
【００１６】
従って、本発明は、カードを発行する組織内部の者によって、発行依頼データが悪用されて、不正に、カードが発行、或いは複製されることを防止できるという効果がある。
【図面の簡単な説明】
【００１７】
【図１】本発明のカード発行システムのハードウェア構成例を示す図。
【図２】カード発行依頼端末、カード発行装置制御端末、及びカード発行管理サーバのハードウェア構成の一例を示す図。
【図３】ユーザ情報テーブルの一例を示す図。
【図４】前回カード発行情報テーブルの一例を示す図。
【図５】本発明のカード発行システムが行うカード発行処理の流れの一例の前半を示すフローチャート。
【図６】本発明のカード発行システムが行うカード発行処理の流れの一例の後半の一部を示すフローチャート。
【図７】本発明のカード発行システムが行うカード発行処理の流れの一例の後半の他の一部を示すフローチャート。
【発明を実施するための形態】
【００１８】
以下に、本発明の一実施形態を説明する。
【００１９】
本発明のカード発行システムは、図１に示すように、カード発行依頼端末と、カード発行装置制御端末と、カード発行装置と、カード発行管理サーバとを備え、カード発行依頼端末とカード発行端末とカード発行管理サーバとがネットワークに接続され、カード発行装置制御端末とカード発行装置とが直接接続されているものである。
【００２０】
カード発行依頼端末とカード発行装置制御端末とカード発行装置とは、カード発行会社の店舗に置かれている。
【００２１】
カード発行管理サーバは、カード発行会社が運営してもよいし、カード発行会社とは別の会社が運営してもよい。
【００２２】
カード発行依頼端末、カード発行装置制御端末、及びカード発行管理サーバは、図２に示すように、中央処理装置と、主記憶装置と、補助記憶装置と、入力装置と、表示装置と、通信装置と、時計装置とを備え、それら装置がバスに接続されているコンピュータである。
【００２３】
時計装置は、現在の時刻を年月日時分秒の単位で計測する装置である。
【００２４】
通信装置は、少なくとも、ネットワークを介して、データを送受信する装置であり、また、カード発行装置制御端末が備える通信装置は、カード発行装置と、直接、データを送受信する装置でもある。
【００２５】
表示装置は、データを表示する装置である。
【００２６】
入力装置は、データを入力する装置である。
【００２７】
補助記憶装置は、データ及びプログラムを永続的に記憶する装置である。
【００２８】
主記憶装置は、データ及びプログラムを一時的に記憶する装置である。
【００２９】
中央処理装置は、プログラムを補助記憶装置から主記憶装置にロードし、主記憶装置にロードしたプログラムに従って処理を行う装置である。
【００３０】
カード発行管理サーバの補助記憶装置は、ユーザ情報を記憶している。
【００３１】
ユーザ情報は、例えば、ユーザＩＤとパスワードとを含み、それぞれ、図３に示すように、一つの行が一人のユーザに対応するユーザ情報テーブルの項目「ユーザＩＤ」の値と項目「パスワード」の値として記憶される。
【００３２】
ユーザＩＤは、ユーザを唯一に識別する情報である。
【００３３】
パスワードは、ユーザＩＤとともにユーザの認証に用いられる情報である。
【００３４】
また、カード発行管理サーバの補助記憶装置は、前回カード発行情報を記憶している。
【００３５】
前回カード発行情報は、例えば、氏名と口座番号と前回発行結果と前回発行時刻とを含み、それぞれ、図４に示すように、一つの行が一人のカード利用者の前回のカード発行に対応する前回カード発行情報テーブルの項目「氏名」の値と項目「口座番号」の値と項目「前回発行結果」の値と項目「前回発行時刻」の値として記憶される。
【００３６】
氏名は、カード利用者の氏名であって、カード利用者を特定する情報の一例となっている。
【００３７】
口座番号は、カード利用者の口座番号であって、カード利用者を特定する情報の一例となっている。
【００３８】
前回発行結果は、カード利用者に、前回、カードを発行したときの結果であって、成功、又は、失敗のいずれかである。
【００３９】
前回発行時刻は、カード利用者に、前回、カードを発行したときの年月日時分秒の単位で表される時刻である。
【００４０】
また、カード発行管理サーバの補助記憶装置は、所定時間も記憶している。この所定時間は、カード発行管理サーバの入力装置で入力されるなどして設定されるものである。
【００４１】
また、カード発行管理サーバの補助記憶装置は、所定ユーザ数も記憶している。この所定ユーザ数は、２人以上であって、カード発行管理サーバの入力装置で入力されるなどして設定されるものである。
【００４２】
以下に、本発明のカード発行システムが行うカード発行処理の流れの一例を、図５〜図７のフローチャートに従って説明する。
【００４３】
Ｓ（ＳＴＥＰ）１；
店舗のカード発行担当者は、カード発行依頼端末の入力装置で、カード利用者を特定する情報、例えば、氏名、口座番号を入力する。
【００４４】
Ｓ（ＳＴＥＰ）２；
カード発行依頼端末は、カード利用者を特定する個人情報から、発行依頼データを生成する。
【００４５】
この発行依頼データには、カード利用者の氏名及び口座番号が含まれる。
【００４６】
Ｓ（ＳＴＥＰ）３；
カード発行依頼端末は、発行依頼データを、カード発行管理サーバに送信する。
【００４７】
Ｓ（ＳＴＥＰ）４；
カード発行管理サーバは、カード発行依頼端末から、発行依頼データを受信する。
【００４８】
Ｓ（ＳＴＥＰ）５；
カード発行管理サーバは、発行依頼データから氏名を抽出し、図４に示す前回カード発行情報テーブルにおいて、項目「氏名」の値が、発行依頼データから抽出した氏名と同一である行がある否かを確かめ，
同一である行がある場合、ＳＴＥＰ６に進み、
他方、同一である行がない場合、ＳＴＥＰ３１に進む。
【００４９】
Ｓ（ＳＴＥＰ）６；
カード発行管理サーバは、発行依頼データから口座番号を抽出し、図４に示す前回カード発行情報テーブルにおいて、項目「氏名」の値が、発行依頼データから抽出した氏名と同一である行の項目「口座番号」の値が、発行依頼データから抽出した口座番号と同一であるか否かを確かめ、
同一である場合、ＳＴＥＰ７に進み、
他方、異なる場合、ＳＴＥＰ３１に進む。
【００５０】
Ｓ（ＳＴＥＰ）７；
カード発行管理サーバは、図４に示す前回カード発行情報テーブルにおいて、項目「氏名」の値が、発行依頼データから抽出した氏名と同一であり、かつ、項目「口座番号」の値が、発行依頼データから抽出した口座番号と同一である行の項目「前回発行結果」の値が、成功であるか、或いは、失敗であるかを確かめ、
成功である場合、ＳＴＥＰ８に進み、
他方、失敗である場合、ＳＴＥＰ２１に進む。
【００５１】
Ｓ（ＳＴＥＰ）８；
カード発行管理サーバは、補助記憶装置から所定時間を読み出し、図４に示す前回カード発行情報テーブルにおいて、項目「氏名」の値が、発行依頼データから抽出した氏名と同一であり、かつ、項目「口座番号」の値が、発行依頼データから抽出した口座番号と同一である行の項目「前回発行時刻」の値から、時計装置が示す現在の時刻が、所定時間以内であるか否かを確かめ、
所定時間以内である場合、ＳＴＥＰ９に進み、
他方、所定時間よりも経っている場合、ＳＴＥＰ２１に進む。
【００５２】
或いは、図４に示す前回カード発行情報テーブルにおいて、項目「氏名」の値が、発行依頼データから抽出した氏名と同一であり、かつ、項目「口座番号」の値が、発行依頼データから抽出した口座番号と同一である行の項目「前回発行時刻」の値から、時計装置が示す現在の時刻が、所定時間未満であるか否かを確かめ、
所定時間未満である場合、ＳＴＥＰ９に進み、
他方、所定時間以上経っている場合、ＳＴＥＰ２１に進む。
【００５３】
Ｓ（ＳＴＥＰ）９；
カード発行管理サーバは、ｉを１とする。
【００５４】
Ｓ（ＳＴＥＰ）１０；
カード発行管理サーバは、第ｉ番目のユーザのユーザＩＤ及びパスワードの送信要求を、カード発行依頼端末に送信する。
【００５５】
Ｓ（ＳＴＥＰ）１１；
カード発行依頼端末は、カード発行管理サーバから、第ｉ番目のユーザのユーザＩＤ及びパスワードの送信要求を受信する。
【００５６】
Ｓ（ＳＴＥＰ）１２；
カード発行依頼端末は、第ｉ番目のユーザに、ユーザＩＤ及びパスワードの入力を要求する表示を行う。
【００５７】
Ｓ（ＳＴＥＰ）１３；
第ｉ番目のユーザは、カード発行依頼端末の入力装置で、第ｉ番目のユーザのユーザＩＤ及びパスワードを入力する。
【００５８】
Ｓ（ＳＴＥＰ）１４；
カード発行依頼端末は、第ｉ番目のユーザのユーザＩＤ及びパスワードを、カード発行管理サーバに送信する。
【００５９】
Ｓ（ＳＴＥＰ）１５；
カード発行管理サーバは、カード発行依頼端末から、第ｉ番目のユーザのユーザＩＤ及びパスワードを受信する。
【００６０】
Ｓ（ＳＴＥＰ）１６；
カード発行管理サーバは、ｉが２以上の整数の場合、ＳＴＥＰ１７に進み、ｉが１の場合、ＳＴＥＰ１８に進む。
【００６１】
Ｓ（ＳＴＥＰ）１７；
カード発行管理サーバは、第ｉ番目のユーザのユーザＩＤが、第１番目〜第（ｉ−１）番目のユーザのユーザＩＤのいずれとも異なるか否かを確かめ、
第１番目〜第（ｉ−１）番目のユーザのユーザＩＤのいずれとも異なる場合、ＳＴＥＰ１８に進み、
第１番目〜第（ｉ−１）番目のユーザのユーザＩＤのいずれかと同じである場合、ＥＮＤに進む。
【００６２】
Ｓ（ＳＴＥＰ）１８；
カード発行管理サーバは、図３に示すユーザ情報テーブルに、項目「ユーザＩＤ」の値が、第ｉ番目のユーザのユーザＩＤであり、かつ、項目「パスワード」の値が、第ｉ番目のユーザのパスワードである行が存在するか否かで第ｉ番目のユーザの認証を行い、
存在する場合、第ｉ番目のユーザの認証に成功したとして、ＳＴＥＰ１９に進み、
存在しない場合、第ｉ番目のユーザの認証に失敗したとして、ＥＮＤに進む。
【００６３】
Ｓ（ＳＴＥＰ）１９；
カード発行管理サーバは、補助記憶装置から所定ユーザ数を読み出し、ｉが、所定ユーザ数よりも小さいかかを確かめ、
所定ユーザ数よりも小さい場合、ＳＴＥＰ２０に進み、
所定ユーザ数以上の場合、ＳＴＥＰ２１に進む。
【００６４】
Ｓ（ＳＴＥＰ）２０；
カード発行管理サーバは、ｉに１を加えたものを新たにｉとして、ＳＴＥＰ１０に戻る。
【００６５】
Ｓ（ＳＴＥＰ）２１；
カード発行管理サーバは、発行依頼データを基にカード発行データを生成する。
【００６６】
Ｓ（ＳＴＥＰ）２２；
カード発行管理サーバは、カード発行データを、カード発行装置制御端末に送信する。
【００６７】
Ｓ（ＳＴＥＰ）２３；
カード発行装置制御端末は、カード発行管理サーバから、カード発行データを受信する。
【００６８】
Ｓ（ＳＴＥＰ）２４；
カード発行装置制御端末は、カード発行データに基づいて、カード発行装置にカードの
発行を行わせる。
【００６９】
Ｓ（ＳＴＥＰ）２５；
カードの発行が成功した場合、ＳＴＥＰ２６に進み、
カードの発行が失敗した場合、ＳＴＥＰ２８に進む。
【００７０】
Ｓ（ＳＴＥＰ）２６；
カード発行装置制御端末は、カード発行装置に、発行したカードを排出させる。
【００７１】
Ｓ（ＳＴＥＰ）２７；
カード発行装置制御端末は、発行結果として成功を、発行時刻として時計装置が示す現在の時刻を、カード発行管理サーバに送信し、ＳＴＥＰ２９に進む。
【００７２】
Ｓ（ＳＴＥＰ）２８；
カード発行装置制御端末は、発行結果として失敗を、発行時刻として時計装置が示す現在の時刻を、カード発行管理サーバに送信し、ＳＴＥＰ２９に進む。
【００７３】
Ｓ（ＳＴＥＰ）２９；
カード発行管理サーバは、カード発行装置制御端末から、発行結果と発行時刻とを受信する。
【００７４】
Ｓ（ＳＴＥＰ）３０；
カード発行管理サーバは、図４に示す前回カード発行情報テーブルにおいて、項目「氏名」の値が、発行依頼データから抽出した氏名と同一であり、かつ、項目「口座番号」の値が、発行依頼データから抽出した口座番号と同一である行の項目「前回発行結果」の値と項目「発行時刻」の値とを、それぞれ、カード発行装置制御端末から受信した発行結果と発行時刻とに更新し、ＥＮＤに進む。
【００７５】
Ｓ（ＳＴＥＰ）３１；
カード発行管理サーバは、発行依頼データを基にカード発行データを生成する。
【００７６】
Ｓ（ＳＴＥＰ）３２；
カード発行管理サーバは、カード発行データを、カード発行装置制御端末に送信する。
【００７７】
Ｓ（ＳＴＥＰ）３３；
カード発行装置制御端末は、カード発行管理サーバから、カード発行データを受信する。
【００７８】
Ｓ（ＳＴＥＰ）３４；
カード発行装置制御端末は、カード発行データに基づいて、カード発行装置にカードの発行を行わせる。
【００７９】
Ｓ（ＳＴＥＰ）３５；
カードの発行が成功した場合、ＳＴＥＰ３６に進み、
カードの発行が失敗した場合、ＳＴＥＰ３８に進む。
【００８０】
Ｓ（ＳＴＥＰ）３６；
カード発行装置制御端末は、カード発行装置に、発行したカードを排出させる。
【００８１】
Ｓ（ＳＴＥＰ）３７；
カード発行装置制御端末は、発行結果として成功を、発行時刻として時計装置が示す現在の時刻を、カード発行管理サーバに送信し、ＳＴＥＰ３９に進む。
【００８２】
Ｓ（ＳＴＥＰ）３８；
カード発行装置制御端末は、発行結果として失敗を、発行時刻として時計装置が示す現在の時刻を、カード発行管理サーバに送信し、ＳＴＥＰ３９に進む。
【００８３】
Ｓ（ＳＴＥＰ）３９；
カード発行管理サーバは、カード発行装置制御端末から、発行結果と発行時刻とを受信する。
【００８４】
Ｓ（ＳＴＥＰ）４０；
カード発行管理サーバは、図４に示す前回カード発行情報テーブルに、項目「氏名」の値を、発行依頼データから抽出した氏名とし、かつ、項目「口座番号」の値を、発行依頼データから抽出した口座番号とし、かつ、項目「前回発行結果」の値を、カード発行装置制御端末から受信した発行結果とし、かつ、項目「発行時刻」の値を、カード発行装置制御端末から受信した発行時刻とする行を追加し、ＥＮＤに進む。
【図１】
2017224230.tif 000003
【図２】
2017224230.tif 000004
【図３】
2017224230.tif 000005
【図４】
2017224230.tif 000006
【図５】
2017224230.tif 000007
【図６】
2017224230.tif 000008
【図７】
2017224230.tif 000009